(57)【要約】【課題】発光管内に互いに離間して対向配置された一対の電極を備えたショートアーク型放電ランプの始動性を悪化させることなく、始動用部材であるコイルの蒸発による発光管の黒化の発生を回避することができるランプ構造を提供することである。【解決手段】電極は、電極芯線と、当該電極芯線の先端に形成された太径の電極本体部と、で構成され、前記電極本体部の周囲を包囲するように、一重の環状部材が設けられていることを特徴とする。【選択図】  図１
2020024840.tif 000002
【特許請求の範囲】
【請求項１】
発光管内に互いに離間して対向配置された一対の電極を備えたショートアーク型放電ランプにおいて、
前記電極は、電極芯線と、当該電極芯線の先端に形成された太径の電極本体部と、で構成され、
前記電極本体部の周囲を包囲するように、一重の環状部材が設けられていることを特徴とするショートアーク型放電ランプ。
【請求項２】
前記電極本体部は、その先端に拡径された膨径部を備えており、  前記環状部材は、前記膨径部から離間した位置で前記電極本体部に設けられていることを特徴とする請求項１に記載のショートアーク型放電ランプ。
【請求項３】
前記環状部材は、円周方向の一部に切れ目を有する形状であることを特徴とする請求項１又は請求項２に記載のショートアーク型放電ランプ。
【発明の詳細な説明】
【技術分野】
【０００１】
この発明は、投射型プロジェクタ装置や映写機用などのショートアーク型放電ランプに関するものであり、特に、始動用の部材が設けられた電極を有するショートアーク型放電ランプに係わるものである。
【背景技術】
【０００２】
現在、上記用途のショートアーク型放電ランプとして、発光管内に水銀やキセノンガスなどの希ガスを封入したショートアーク型放電ランプが用いられている。
その構造が図５に示されており、ショートアーク型放電ランプ１は発光管２内に互いに離間して対向配置された一対の電極３、３を備えていて、この発光管２内には、水銀、希ガスの他にハロゲンが封入されており、いわゆるハロゲンサイクルにより、発光管１内の黒化を抑制している。
そして、この種のショートアーク型放電ランプには、電極に始動性を改善するための始動用部材として、コイルを巻き付けてものが知られている。例えば、特開２００４−３６２８６１号公報（特許文献１）にその構造が示されていて、図６に詳細を示すように、電極３は本体部５と電極芯線４とからなり、その本体部５の周囲に線状のタングステンからなるコイル６が巻き付けられている。
【０００３】
図６（Ａ）に示すように、このコイル６は、線状のタングステンからなるコイルを電極３の本体部５に多重に巻き付けられており、点灯始動時おいては、隣接するコイル６間での凹凸形状による、いわゆるホロー効果によって始動の種（始動開始位置）として機能するものである。また、コイル６は細径であるため加熱されやすく、グロー放電からアーク放電への移行を容易にする働きもある。
【０００４】
ところで近年、ランプの高出力化と更なる長寿命化が求められている状況において、このようなコイルを巻き付けた形状においては、コイル間でクレータ状の窪みが形成され、これによりランプの黒化が進行し、寿命悪化の一因となることが判明した。
図６（Ｂ）に示すように、隣接するコイル６、６間に形成される隙間に電界の集中が起こり、種放電を発生させるが、これにより、コイル６が過熱されてしまい、タングステンが蒸発してクレータ状の窪み７を形成するとともに、タングステンの蒸発物Ｗは、直接的に発光管２方向に向かい、この蒸発物Ｗがコイル近傍の発光管２の内壁面に堆積し、このタングステン蒸発物Ｗの堆積が継続して黒化８が発生することが分かった。
【先行技術文献】
【特許文献】
【０００５】
【特許文献１】特開２００４−３６２８６１号公報
【発明の概要】
【発明が解決しようとする課題】
【０００６】
以上のような従来技術の問題点に鑑みて、本発明の課題は、ショートアーク型放電ランプの始動性を悪化させることなく、始動用部材であるコイルの蒸発による黒化の発生を回避することができるランプ構造を提供することである。
【課題を解決するための手段】
【０００７】
上記課題を解決するために、本発明に係るショートアーク型放電ランプは、電極が、電極芯線と、当該電極軸部の先端に形成された前記電極芯線よりも太い電極本体部と、で構成され、前記電極本体部の周囲を包囲するように、一重の環状部材が設けられていることを特徴とする。
また、前記電極本体部は、その先端に拡径された膨径部を備えており、前記環状部材が、前記膨径部から離間した位置で前記電極本体部に設けられていることを特徴とする。
また、前記環状部材は、円周方向の一部に切れ目を有する形状であることを特徴とする。
【発明の効果】
【０００８】
本発明のショートアーク型放電ランプによれば、電極の本体部に一重の環状部材が設けられているので、該環状部材と電極本体部との間の隙間を種放電の発生領域としてホロー効果による始動性を確保しつつ、この種電子により発生するタングステンの蒸発を、封体壁面側ではなく、放電空間側に指向させるので、封体壁面の黒化を抑制することができるものである。
【図面の簡単な説明】
【０００９】
【図１】本発明のショートアーク型放電ランプの電極構造図
【図２】本発明の他の実施例の電極先端部図
【図３】本発明の作用効果を表す側面図
【図４】本発明の更に他の実施例である電極先端部図
【図５】従来のショートアーク型放電ランプの全体図
【図６】図５の要部拡大断面図（Ａ）、不具合の説明図（Ｂ）
【発明を実施するための形態】
【００１０】
図１（Ａ）は、本発明のショートアーク型放電ランプに用いられる電極の側面図であり、図１（Ｂ）は、電極本体部の形状が異なる電極の他の例である。
図１（Ａ）において、電極３は、電極芯線４と、当該電極芯線４の先端に形成された太径の電極本体部５とで構成されていて、この電極本体部５の周囲を包囲するように環状部材１０が設けられている。この環状部材１０はタングステンの線材からなる、一重の指輪状の部材であって、その断面形状は略円形である。ここで略円形とは、円形形状のみならず楕円形状も含むものである。
【００１１】
図１（Ｂ）は、電極本体部５の形状が異なる例であり、この例では電極本体部５の先端側に更に拡径された膨径部５ａを有する。かかる電極構造は、大電力化に対応した電極構造となる。
この例では、環状部材１０は、電極本体部５の先端の拡径された膨径部５ａから離間した位置で前記電極本体部５に設けられている。つまり、膨径部５ａと環状部材１０との間でホロー効果を生じない程度に離間していて、この間隙が種放電の発生領域とならないようにしている。
図１（Ｂ）の実施例において、膨径部５ａと環状部材１０の離間距離は、０．０４ｍｍ以上であることが好適であって、これよりも小さいと黒化が発生することが分かっている。
【００１２】
図２に環状部材１０の他の例が示されていて、図２（Ａ）では、環状部材１０が電極本体部５の周囲を一周し、若干だけ重なり合う状態で巻き付けられ、その重なり部分をレーザ等で溶接したものである（溶接痕１１として識別される）。
図２（Ｂ）のものは、環状部材１０が円周方向の一部で切れ目１２を有するものである。この切れ目１２はその間の間隙で電界集中して火種を発生するような間隙ではなく、所定程度の大きさをもった間隙である必要があり、より具体的にはその間隙は０．０４ｍｍ以上であることが好適である。
【００１３】
図３に本発明の作用効果が説明されていて、電極３の電極本体部５と環状部材１０との間で、隙間が形成され、点灯始動時にこの領域に電界集中が起こり、この部位で火種が生じて点灯始動される。そして、この領域で生じるタングステンの蒸発物Ｗは、電極軸方向に向かうことになり、発光部の内壁面に直接向かうことはなく、蒸発物Ｗの堆積による黒化が抑制される。
【００１４】
環状部材１０の断面形状は円形形状に限られず、図４に示すような矩形形状、更には、六角形状や八角形状などの多角形形状（不図示）であってもよい。図４に示す矩形形状の環状部材１０は、その一辺と電極本体部５との間に微小隙間を形成するように配置される。
この実施例においても、電極本体部５と環状部材１０との間の微小隙間の領域で電界集中が起こり、火種が生じて点灯が開始されることは同様である。
【００１５】
以上説明したように、本発明のショートアーク型放電ランプでは、電極芯線とその先端に形成された太径の電極本体部とで構成される電極を有し、前記電極本体部の周囲を包囲するように、一重の環状部材が設けられているので、環状部材と電極本体部との間の間隙において電界集中が起こり、ここが火種となって点灯始動が行われる。そして、この領域で発生するタングステンの蒸発物は、電極軸方向に向かい、発光管の内壁面に直接的に向かうことがないので、蒸発物の堆積による黒化が抑制されるものである。
【符号の説明】
【００１６】
１  ：ショートアーク型放電ランプ
２  ：発光管
３  ：電極
４  ：電極芯線
５  ：電極本体部
５ａ：膨径部
１０：環状部材
１１：溶接痕
１２：切れ目
Ｗ  ：（タングステン）蒸発物
【図１】
2020024840.tif 000003
【図２】
2020024840.tif 000004
【図３】
2020024840.tif 000005
【図４】
2020024840.tif 000006
【図５】
2020024840.tif 000007
【図６】
2020024840.tif 000008